(57)【要約】      （修正有）【課題】釣り糸が絡まることがないように遠くへ投げ飛ばすことが出来る釣り具の提供。【解決手段】釣り具は釣り糸にて繋がっている浮きと餌入れを有し、餌入れから延びるハリス４の先端には針５を設け、上記餌入れは先端に設けた重り１２から芯棒１５が起立し、該芯棒１５を中心として上記重り１２の上に配置した本体ベース１３、該本体ベース１３の上には内部空洞２０を有すと共に下端を開口した上部容器１４を配置し、上記ハリス４はその基部を芯棒１５に連結して本体ベース１３の上面２２から外周面２３に連通する穴２４を挿通して下方へ延ばし、本体ベース１３の外周面２３にはリング状の凹溝２１を形成すると共に該凹溝付近にはピン２５を設けている。【選択図】図４
2018134015.tif 000002
【特許請求の範囲】
【請求項１】
釣り糸の先端に連結される釣り具において、該釣り具は釣り糸にて繋がっている浮きと餌入れを有し、餌入れから延びるハリスの先端には針を設け、上記餌入れは先端に設けた重りから芯棒が起立し、該芯棒を中心として上記重りの上に配置した本体ベース、該本体ベースの上には内部空洞を有すと共に下端を開口した上部容器を配置し、上記ハリスはその基部を芯棒に連結して本体ベースの上面から外周面に貫通する穴を挿通して下方へ延ばし、本体ベースの外周面にはリング状の凹溝を形成すると共に該凹溝付近にはピンを設けたことを特徴とする釣り具。
【請求項２】
上記上部容器の上には羽根を芯棒に回転自在に軸支した請求項１記載の釣り具。
【請求項３】
釣り糸に連結される釣り具を構成する餌入れにおいて、上記餌入れは先端に設けた重りから芯棒が起立し、該芯棒を中心として上記重りの上に配置した本体ベース、該本体ベースの上には内部空洞を有すと共に下端を開口した上部容器を配置し、本体ベースの上面から外周面に貫通する穴を有し、外周面にはリング状の凹溝を形成し、凹溝付近にはピンを設けたことを特徴とする餌入れ。
【請求項４】
基部を芯棒に連結して先端に針を取付けたハリスを上記穴を挿通すると共に上記リング状の凹溝に巻付け、ハリスはピンに係止して針を上部容器の空洞内に収容した請求項３記載の餌入れ。
【請求項５】
上記リング状の凹溝付近にはピンを取付ける為の穴を複数箇所に設けた請求項３、又は請求項４記載の餌入れ。
【発明の詳細な説明】
【技術分野】
【０００１】
本発明は天秤を使用しないでも糸が絡まることなく、またより遠くまで投げ飛ばすことが出来る釣り具、及び釣り具を構成する餌入れに関するものである。
【背景技術】
【０００２】
図５は一般的な従来の釣り具を示す具体例であり、同図（イ）は釣り竿、（ロ）は釣り糸、及び（ハ）はリール、（ニ）は釣り具を示している。該釣り具（ニ）は上記釣り糸（ロ）の先端に天秤（ホ）を繋ぎ、該天秤（ホ）にはハリス（ヘ）を連結し、ハリス（ヘ）の先端には針（リ）を取付けている。
そして、天秤（ホ）には重り（ヌ）を備え、上記釣り糸（ロ）には浮き（ル）が取付けられ、浮き（ル）は所定の範囲内でスライド（遊動）出来るように成っている。
【０００３】
ところで、長い釣り糸（ロ）はリール（ハ）に巻付いていて、上記釣り具（ニ）を投げ飛ばすならば、リール（ハ）から釣り糸（ロ）は巻き戻される。釣り竿（イ）には複数のラインガイド（ト）、（ト）・・・が設けられ、釣り竿（イ）の先端にはトップガイド（チ）が取付けられ、釣り糸（ト）はこれらラインガイド（ト）、（ト）・・・、及びトップガイド（チ）に沿ってスライドすることが出来る。
【０００４】
上記釣り具（ニ）には重り（ヌ）を備えた天秤（ホ）を有していることで、投げ飛ばす際に釣り糸（ロ）と針（リ）を取付けたハリス（ヘ）が絡まることはない。該天秤（ホ）は金属製又は樹脂製のバーで構成され、釣り具（ニ）を投げ飛ばすならば、該天秤（ホ）を先頭にして釣り糸（ロ）とハリス（ヘ）は絡まることなく平行を成して飛行することが出来る。
図５の釣り具（ニ）に備えている天秤（ホ）の形態はあくまでも１具体例であり、上記釣り糸（ロ）とハリス（ヘ）が絡まることなく投げ飛ばされるものであれば限定しない。
【０００５】
特開２００６−１８７２６９号に係る「釣り具」は、 魚が掛かったとき、僅かな当たりでも竿先または浮きに素早く伝えられ、且つ釣り針やハリスがコマセカゴ等に絡むのを未然に防止することが出来る釣り具である。
そこで、この釣り具は、道糸（釣り糸）とハリスとの間に接続されたガイド糸と、このガイド糸に移動可能に取り付けられたコマセカゴとを有し、このガイド糸は、コマセカゴを貫通している。また、ガイド糸とハリスとの間に天秤が設けられている。
【０００６】
特開２０００−１７５６０５号に係る「釣り具および釣り具用浮子部材」は、簡単な構造で、岩場における根がかりの発生を防止し、あわせて釣りの成果をより高めることのできる釣り具である。
すなわち、可撓性を有するチューブ内に複数に分割した錘と複数に分割した浮子部材とを組み合わせて全体を棒状体の沈下浮子となし、浮子部材の他端に連結具および天秤を介して道糸を接続し、天秤の他端に針付きのハリスを取り付けている。
【０００７】
このように、釣り具（ニ）は釣り糸（ロ）の絡まりを防止する為に一般的にバー状の天秤（ホ）を備えているが、該天秤（ホ）を用いないで釣り具（ニ）を構成する場合もある。
【特許文献１】特開２００６−１８７２６９号に係る「釣り具」
【特許文献２】特開２０００−１７５６０５号に係る「釣り具および釣り具用浮子部材」
【発明の開示】
【発明が解決しようとする課題】
【０００８】
このように、釣り具に天秤を備えることで、該釣り具を投げ飛ばす際に釣り糸の絡まりを防止することは出来るが、天秤が飛行する際の空気抵抗により遠くまで飛ばすことが出来ない。
本発明が解決しようとする課題はこの問題点であり、従来の天秤を用いないでも釣り糸が絡まることなくより遠くまで投げ飛ばすことが出来る釣り具を提供する。
【課題を解決するための手段】
【０００９】
本発明に係る釣り具は天秤を用いないで構成し、釣り糸の先端には餌入れを連結し、該餌入れからは先端に針を取付けたハリスを延ばしている。そして、釣り糸には浮きを取付け、餌入れから所定の長さだけ釣り糸に沿ってスライド（遊動）出来るように成っている。
【００１０】
ところで、上記餌入れは重りを先端に設けた芯棒を有し、該重りの上方には本体ベースが取付けられ、該本体ベースには上部容器が嵌って組み合わされている。また、上部容器は中心に設けている芯棒に沿って上下動し、釣り糸を引いて餌入れを動かすならば本体ベースから外れるような構造と成っている。
そして、本体ベースの外周面にはリング状の凹溝が形成され、また凹溝の付近には係止ピンが突出している。
【００１１】
ところで、上部容器は内部が空洞化していて、該内部空洞に連通する穴が１個ないし複数個設けられ、この上部容器には餌を収容して本体ベースに嵌められる。餌入れは水中に沈むと共に釣り糸を引いて上下動するならば上部容器は本体ベースから外れて、収容されている餌は周りに流れ出ることが出来る。
また、餌入れは投げ飛ばされるが、この際、餌入れから延びて先端に針を取付けたハリスは本体ベース外周に設けたリング状の凹溝に巻き付き、先端部は係止ピンに係止すると共に針は上部容器内に収容される。
【発明の効果】
【００１２】
本発明に係る釣り具は、先端に重りを有す餌入れ、該餌入れからはハリスを延ばすと共にハリス先端には針を取付け、餌入れの手前の釣り糸には浮きをスライド可能に取付けて構成し、従来の天秤は備えていない。したがって、投げ飛ばす際の空気抵抗は小さくなってより遠くへ飛ばすことが出来る。しかも、ハリスは餌入れの本体ベース外周の凹溝に巻き付いて先端に取付けた針は上部容器内に餌と共に収容されることで、該ハリスが釣り糸に絡まることはなく、より遠くへ飛ばすことが可能となる。
【００１３】
そして、投げ飛ばされて水中に沈み、上下方向に揺らすならば上部容器は本体ベースから外れて内部の餌は周囲に流れ出る為に、魚は該餌を求めて集まるようになる。同時に、内部に入れた針も外へ押し出され、凹溝に巻き付いたハリスは該凹溝から外れて下方へ垂れ下がる。
上部容器内には餌が収容されるが、一部に空気も存在する為に、上部容器には浮力が働いて上下動に伴って本体ベースから分離し、流出した餌を求めて多くの魚が集まる。
【図面の簡単な説明】
【００１４】
【図１】本発明の釣り具を備えた釣り具セットを示す実施例。
【図２】釣り具を構成する餌入れ。
【図３】餌入れの先端部断面図。
【図４】ハリスを本体ベース外周に設けた凹溝に巻付けると共に、先端針を空洞に収容している場合。
【図５】従来の一般的な釣り具セットを示す具体例。
【発明を実施するための形態】
【００１５】
図１は釣り具セットを示す概略図であり、同図の１は釣り具、２は釣り竿、３は釣り糸、４はハリス、５は針、６は重り付き餌入れをそれぞれ表している。餌入れ６から上記ハリス４が下方へ延びてその先端には針５を取付けている。
該餌入れ６は釣り糸３の先端に繋がれ、餌入れ６の上方には浮き７が取付けられているが、該浮き７は所定の範囲内でスライド（遊動）することが出来るように釣り糸３にはストッパー８を設けている。
【００１６】
釣り竿２の構造に関しては本発明の対象外であり、従来と同じように構成することが出来、長い釣り糸３はリール９に巻付いていて、上記釣り具１を投げ飛ばすならば、リール９から釣り糸３は巻き戻される。釣り竿２には複数のラインガイド１０，１０・・・が設けられ、釣り竿２の先端にはトップガイド１１が取付けられ、釣り糸３はこれらラインガイド１０，１０・・・、及びトップガイド１１に沿ってスライドすることが出来る。
【００１７】
同図に示すように本発明の釣り具１は天秤を有していないが、該釣り具１を投げ飛ばす際にハリス４と釣り糸３が互いに絡まないような構造と成っている。
そして、上記餌入れ６にはその先端部に重りを有していて、投げ飛ばされて水面に落下したならば、水中に沈むことが出来る。ただし、餌入れ６の上方には浮き７を有している為に、針５が沈む深さは規制される。
【００１８】
図２は上記餌入れ６を表す具体例である。餌入れ６は下から重り１２、本体ベース１３、上部容器１４を有し、中心には重り１２から上方へ延びる芯棒１５を設け、該芯棒１５の上端には釣り糸３が連結する為のリング１６を形成している。そして、上部容器１４の上には羽根１７が配置され、羽根１７は芯棒１５に軸支されて回転自在と成っている。ただし、羽根７の枚数に関しては限定しない。
【００１９】
ところで、上記芯棒１５は重り１２に固定された状態で上方へ延びているが、重り１２、本体ベース１３、上部容器１４、羽根１７は互いに分離可能な状態で芯棒１５に取付けられている。
図３は餌入れ６の下端部断面を示しているように、重り１２の上部には凸部１８が設けられ、この凸部１８に上記本体ベース１３の下端部に形成している凹部が嵌っている。また、本体ベース１３の上端部に設けている凸部１９は上部容器１４の空洞２０に嵌っている。
【００２０】
ところで、上部容器１４の下端部は開口しているが内部には空洞２０を有し、この空洞２０に餌を入れて本体ベース１３に嵌めることが出来る。餌を収容した状態で投げられた餌入れ６は水中に沈み、重りの負荷がかかって浮きが起立したところで竿を揺すって餌入れ６を上下動させるならば、上部容器１４が本体ベース１３から外れ、収容されている餌が流れ出る。同時に餌を付けた針５も一緒に出る。
そして、流出した餌を求めて魚が集まり、該餌入れ６から下方へ延びるハリス先端の針５に食い付くことになる。
【００２１】
ところで、本体ベース１３の外周には凹溝２１が設けられていて、この凹溝２１にはハリス４を巻き付けることが出来る。すなわち、釣り具１を投げ飛ばす際に該ハリス４は釣り糸３に絡まることがないように、該ハリス４を凹溝２１に巻き付け、そして先端に取付けた針５は上部容器１４の内部空洞２０に収容される。したがって、ハリス４及び針５は餌入れ６に入って餌入れと共に投げ飛ばされる為に、該ハリス４が釣り糸３と絡まることはない。
【００２２】
図４はハリス４が本体ベース１３の外周凹溝２１に巻き付いて、先端の針５が空洞２０の内部に収容されている状態を表している。
該ハリス４の基部は芯棒１５に連結し、本体ベース１３の上面２２から外周面２３にかけて貫通する穴２４を挿通していて、ハリス４はこの穴２４を通して外周面２３から延びている。穴２４から外へ出て延びるハリス４は上記凹溝２１に巻付き、凹溝２１の近くに固定しているピン２５に係止してから針５は空洞２０に収容される。実際には餌入れ６に餌を入れ、最後に餌の付いた針５を収容する。
【００２３】
該ピン２５が無いと巻付いたハリス４は凹溝２１から離脱するが、この離脱を防止する為にピン２５に一旦係止した状態で空洞２０に入れられる。
針５には餌が取付けられているが、この状態で投げ飛ばされた餌入れ６は水面に落下し、下端の重り１２によって水中に沈むことが出来る。そして、浮き７が起立したところで竿を揺すって餌入れ６を上下動させるならば、上部容器１４は本体ベース１３から外れて下端開口から餌が流出すると共に、餌付き針５も押出される。
【００２４】
空洞２０に収容されている餌付き針５が餌と共に押し出されるならば、ハリス４はピン２５から離れ、凹溝２１からも離脱して下方へ延び、餌を付けている針５は水中に沈むことになる。上部容器１４に収容している餌は下端部開口から流れ出て、この餌を求めて多数の魚が集まり、針５に取付けている餌を口にするならば、魚は針５に引っ掛る。
【００２５】
前記図２に示す餌入れ６は具体例であり、一部その形態を変更することは自由である。同図の餌入れ６の芯棒１５には上部容器１４の上端に羽根１７を取付けているが、該羽根１７を取付けないで構成することもある。実際には羽根１７を取付けることで該餌入れ６をガタ付くことなく真直ぐに飛ばすことが出来る。
そして、上部容器１４はその下端を開口する為に本体ベース１３から分離することが出来るように、すなわち、芯棒１５に沿って上昇する（持ち上がる）ことが出来るように、羽根１７の上方であってリング１６との間に余分な空間を設けている。
【００２６】
また、図４に示しているように、凹溝２１に巻付いたハリス４は先端の針５を空洞２０に収容する為に、凹溝２１から空洞２０へ導く途中にハリス４が係止するピン２５を設けている。このピン２５の位置はハリス４の長さによって異なることから、外周面２３に複数の穴を設けておき、適当な穴にピン２５を取付けることが出来るようにしている。
そして、ピン２５は爪楊枝を短く切ったものでもよいが、一般にネジピンが用いられ、該穴にネジピンを螺合して取付けることが出来る。
【符号の説明】
【００２７】
１   釣り具
２   釣り竿
３   釣り糸
４   ハリス
５   針
６   餌入れ
７   浮き
８   ストッパー
９   リール
10   ラインガイド
11   トップガイド
12   重り
13   本体ベース
14   上部容器
15   芯棒
16   リング
17   羽根
18   凸部
19   凸部
20   空洞
21   凹溝
22   上面
23   外周面
24   穴
25   ピン
【図１】
2018134015.tif 000003
【図２】
2018134015.tif 000004
【図３】
2018134015.tif 000005
【図４】
2018134015.tif 000006
【図５】
2018134015.tif 000007